(57)【要約】【課題】椅子から観客が立ち上がって離れると、背凭れが弾性回復力により自動的に立った状態に回復する、背凭れが自動的に回復する椅子を提供する。【解決手段】背凭れが自動的に回復する椅子は、椅子１の背凭れ１１の背部に自動回復構造２が取り付けられ、軸棒２１、弾性回復部材２３及び位置規制ユニット２４を備える。軸棒２１は、背凭れ１１の背部に取り付けられ、少なくとも１つの位置決め部材２２により背凭れ１１に軸棒２１が位置決めされ、軸棒２１の両端が椅子１のアームレスト１２に枢着される。弾性回復部材２３は、軸棒２１に嵌合され、軸棒２１に固定された位置規制端２３１と、背凭れ１１に当接された当接端２３２とを有する。位置規制ユニット２４は、軸棒２１に配置されるとともに、背凭れ１１の傾斜角度を制限する第１の位置規制部２４１と、背凭れ１１の回復角度を制限する第２の位置規制部２４２とを有する。【選択図】図１
0003181242.tif 000002
【実用新案登録請求の範囲】
【請求項１】
背凭れが自動的に回復する椅子であって、
背凭れの背部に自動回復構造を取り付け、
前記自動回復構造は軸棒、弾性回復部材及び位置規制ユニットからなり、
前記軸棒は、前記背凭れの背部に取り付けられ、少なくとも１つの位置決め部材により前記背凭れに前記軸棒が位置決めされ、前記軸棒の両端が前記椅子のアームレストに枢着され、
前記弾性回復部材は、前記軸棒に嵌合され、前記軸棒に固定された位置規制端と、前記背凭れに当接された当接端と、を有し、
前記位置規制ユニットは、前記軸棒に配置されるとともに、前記背凭れの傾斜角度を制限する第１の位置規制部と、前記背凭れの回復角度を制限する第２の位置規制部と、を有することを特徴とする、
背凭れが自動的に回復する椅子。
【請求項２】
前記椅子の前記背凭れの下部には、前記弾性回復部材をアシストするおもりが配置されていることを特徴とする、請求項１に記載の背凭れが自動的に回復する椅子。
【考案の詳細な説明】
【技術分野】
【０００１】
本考案は、背凭れが自動的に回復する椅子に関し、特に、公共の場所で使用する椅子の背凭れが自動的に回復する機構を有し、観客が椅子から立ち上がって離れると、背凭れの弾性回復力により背凭れが自動的に立った状態に回復する背凭れが自動的に回復する椅子に関する。
【背景技術】
【０００２】
例えば、劇場、映画館、文化センターなど公共の場所で使用される観客の椅子は、前後の間隔が固定されて設置されており、観客が快適に寄り掛かれるように背凭れ部が適宜傾いて立てられている。
このため、前後の座席間の空間が狭く、観客が自分の席を探したり、プログラムが終わって退場する際や事故・災害などが起きて避難したりする際に不便であった。特に、火事、地震など緊急の事故や災害などが発生した場合、前後の座席間の空間が狭いと、観客が先を争ってあわてて避難し、観客同士が押し合う過程で怪我人又は死亡者が出る虞があった。
【０００３】
上述した従来技術の問題点を解決するために、特許文献１が開示されている。特許文献１では、シートがアームレストの枠体底側間に枢着されるとともに、シートの後側におもりが固着され、シートに誰も座っていないときに自動的に上方へ撥ね上がるとともに、おもりに下向きのコ字状の連動ロッドが固着されている。
下向きのコ字状連動ロッドを貫通させて背凭れの支持ブラケット下方に設けた弧形状のガイドプレートに固着させ、背凭れの支持ブラケットの中間部が椅子のフレームに枢着されている。観客が椅子から立ち上がって離れると、シートが上方へ撥ね上げられるとともに、コ字状連動ロッドにより背凭れの支持ブラケットの下方に設けられた弧形状のガイドプレートが押されて背凭れが収納されて立った状態となるため、前後の座席間の空間が広くなる。
【０００４】
特許文献２は、床に固定するベースと、ベース上に固着して押圧部を有する押圧部材と、ベースに枢着された枢軸により、ベース上でシートを第１の位置と第２の位置との間で揺動させるシートと、を有する。枢軸は、押圧部により押圧されてシートを第１の位置へ維持させる偏心部を有し、これに力が加えられるとシートが第２の位置に向けて揺動され、偏心部には、押圧部に対して加わる力とは反対方向に回復させる圧力が加わる。
【０００５】
特許文献３は、略Ｌ字状の２つの連結フレームの鉛直方向のフレームと水平方向のフレームとが背凭れ及びシートにそれぞれ接続された構造を有する。連結フレームの中段部には枢着孔が形成され、２つの逆立ちフレーム上に設けられたピンが枢着孔に枢着され、ピンを軸として揺動される。さらに、ピンを軸心としてその回動半径の弧度に沿うように、連結フレームの水平方向のフレームにスライド溝が設けられ、スタンド上に固着したコラムに嵌合させた弾性スライドブロックをスライド溝へ貫設させる。
コラムの外端には、弾性体が嵌着される。弾性体の他方の端部には、水平方向のフレーム前端の固定ピンに嵌合される。これにより、観客が座って背凭れに寄り掛かると、連結フレームが振り子式で後方へ揺動され、連結フレームの水平方向フレームにより、スライド溝に沿ったコラムの弾性スライドブロックが摺動して上方へ揺動し、弾性スライドブロックがスライド溝端へ当接されて緩衝機能を得て揺動角度を制限し、弾性体が水平方向フレームの上方向へ揺動して伸張され、椅子が後ろに倒れる揺動を緩和して復位機能を得る。
【０００６】
特許文献４〜６において開示されている構造は、シートが背凭れ及びアームレストの位置に対応して連動し、椅子を収納する際、背凭れの位置又は角度を変えることができる。上述した特許文献４〜６は、観客が立ち上がって座席を離れると、背凭れが略鉛直状に回復して前後の座席間の空間が広くなり、観客が出入りしたり避難したりする際に便利である。
一方で、椅子と背凭れが連結されて連動するため、構造が複雑である上、組立てが容易でないなどの問題点がある。また、構造が複雑で故障する頻度が高いなどの欠点を有し、故障して修理する際、沢山の部品を分解する必要があった。
【０００７】
そのため、上述したような従来技術の問題点がなく、背凭れが自動的に回復する椅子が求められていた。
【先行技術文献】
【特許文献】
【０００８】
【特許文献１】台湾実用新案登録第４２４４６０号公報
【特許文献２】台湾実用新案登録第４７２５４６号公報
【特許文献３】台湾実用新案登録第４７６２６３号公報
【特許文献４】米国特許第２４９２１０７号明細書
【特許文献５】米国特許第５９１８９３７号明細書
【特許文献６】米国特許第１２９１４１３号明細書
【考案の概要】
【考案が解決しようとする課題】
【０００９】
本考案の目的は、公共の場所で使用する椅子から観客が立ち上がって離れると、背凭れが弾性回復力により立った状態に自動的に回復する、背凭れが自動的に回復する椅子を提供することにある。
【課題を解決するための手段】
【００１０】
上記課題を解決するために、本考案の第１の形態によれば、公共の場所で使用する椅子の背凭れの背部に自動回復構造が取り付けられ、軸棒、弾性回復部材及び位置規制ユニットを備えた、背凭れが自動的に回復する椅子であって、前記軸棒は、前記背凭れの背部に取り付けられ、少なくとも１つの位置決め部材により前記背凭れに前記軸棒が位置決めされ、前記軸棒の両端が前記椅子のアームレストに枢着され、前記弾性回復部材は、前記軸棒に嵌合され、前記軸棒に固定された位置規制端と、前記背凭れに当接された当接端と、を有し、前記位置規制ユニットは、前記軸棒に配置されるとともに、前記背凭れの傾斜角度を制限する第１の位置規制部と、前記背凭れの回復角度を制限する第２の位置規制部と、を有することを特徴とする背凭れが自動的に回復する椅子が提供される。
【００１１】
また、前記椅子の前記背凭れの下部には、前記弾性回復部材をアシストするおもりが配置されていることが好ましい。
【考案の効果】
【００１２】
本考案の背凭れが自動的に回復する椅子は、公共の場所で使用する椅子から観客が立ち上がって離れると、背凭れが弾性回復力により自動的に立った状態に回復する。
【図面の簡単な説明】
【００１３】
【図１】本考案の一実施形態に係る背凭れが自動的に回復する椅子を示す斜視図である。
【図２】本考案の一実施形態に係る背凭れが自動的に回復する椅子を示す平面図である。
【図３】本考案の一実施形態に係る背凭れが自動的に回復する椅子の前傾状態を示す模式図である。
【図４】本考案の一実施形態に係る背凭れが自動的に回復する椅子の前傾状態を示す部分断面図である。
【図５】本考案の一実施形態に係る背凭れが自動的に回復する椅子の後傾状態を示す模式図である。
【図６】本考案の一実施形態に係る背凭れが自動的に回復する椅子の後傾状態を示す部分断面図である。
【考案を実施するための形態】
【００１４】
図１及び図２を参照する。図１は、本考案の一実施形態に係る背凭れが自動的に回復する椅子を示す斜視図である。図２は、本考案の一実施形態に係る背凭れが自動的に回復する椅子を示す平面図である。図１及び図２に示すように、本考案の一実施形態に係る背凭れが自動的に回復する椅子は、公共の場所で使用する椅子１の背凭れ１１の背部に自動回復構造２が取り付けられているとともに、軸棒２１、弾性回復部材２３及び位置規制ユニット２４を備える。
【００１５】
軸棒２１は、背凭れ１１の背部に取り付けられ、少なくとも１つの位置決め部材２２により背凭れ１１に軸棒２１が位置決めされ、軸棒２１の両端が椅子１のアームレスト１２に枢着されている。
【００１６】
弾性回復部材２３は、軸棒２１上に嵌合され、軸棒２１に固定された位置規制端２３１と、背凭れ１１に当接された当接端２３２と、を有する。
【００１７】
位置規制ユニット２４は、軸棒２１上に配置されるとともに、背凭れ１１の傾斜角度を制限する第１の位置規制部２４１と、背凭れ１１の回復角度を制限する第２の位置規制部２４２と、を有する。
【００１８】
図１〜図４に示すように、使用していないとき、公共の場所で使用する椅子１の背凭れ１１は、弾性回復部材２３の当接端２３２により当接されて前方へ僅かに傾いた状態（立った状態）になるとともに、位置規制ユニット２４の第２の位置規制部２４２が当接されて背凭れ１１の前傾角度を制限する。これにより、前後の椅子１間の空間が広くなり、人々が容易に動いたり移動したりすることができる。
【００１９】
本実施形態に係る背凭れが自動的に回復する椅子に観客が座る場合、図１、図２、図５及び図６に示すように、背凭れ１１を後方へ押して後傾させると弾性回復部材２３が圧縮され、位置規制ユニット２４の第１の位置規制部２４１が押圧されて背凭れ１１の後傾角度が制限される。
これにより人々が座る際、傾斜角度が好ましい状態となり快適に座ることができる。続いて、図３及び図４に示すように、観客が椅子１から立ち上がって離れると、背凭れ１１に加わっていた力がなくなり、弾性回復部材２３が蓄勢により復位し、背凭れ１１が押圧されて前傾した状態（即ち、立った状態）に回復し、位置規制ユニット２４の第２の位置規制部２４２により位置決めされる。
【００２０】
また、椅子１の背凭れ１１の下部には、弾性回復部材２３をアシストするおもり２５が配置されている。
【００２１】
上述したことから分かるように、背凭れが自動的に回復する椅子は、以下（１）及び（２）の長所を有する。
（１）背凭れの軸棒に設けた弾性回復部材及び位置規制ユニットにより、観客が立ち上がって席から離れると、背凭れが立った状態に自動的に回復し、前後の座席間の空間が広くなるため、観客は容易に出入りしたり避難したりすることができる。
（２）背凭れには、シート、アームレストなどに対応して連動する機構を設ける必要がないため、構造が簡素で、組立てが容易であり、製造コストを下げることができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１      椅子
２      自動回復構造
１１    背凭れ
１２    アームレスト
２１    軸棒        
２２    位置決め部材
２３    弾性回復部材
２４    位置規制ユニット
２５    おもり
２３１  位置規制端
２３２  当接端
２４１  第１の位置規制部
２４２  第２の位置規制部
【図１】
0003181242.tif 000003
【図２】
0003181242.tif 000004
【図３】
0003181242.tif 000005
【図４】
0003181242.tif 000006
【図５】
0003181242.tif 000007
【図６】
0003181242.tif 000008